(57)【要約】【課題】浴室内でテレビ放送番組やＤＶＤを視聴する際に、浴室内という特殊な環境を利用して、臨場感のある視聴演出を行えるテレビ受像機および再生装置を提供する。【解決手段】テレビ受像機は、テレビ放送番組の場面もしくは画面に関する付加情報を含むテレビ放送番組を受信して番組を再生するとともに、該付加情報を抽出して解析し、抽出・解析した該付加情報に基づいて、浴室内に設置された少なくとも１つの装置をネットワークを介して制御することにより、現在視聴中番組の場面に応じた臨場感のある視聴演出効果を創出する。【選択図】図２
2010219712.tif 000002
【特許請求の範囲】
【請求項１】
テレビ放送番組の場面もしくは画面に関する付加情報を含む前記テレビ放送番組を受信して前記テレビ放送番組を再生し前記付加情報を抽出するとともに、浴室内に設置された少なくとも１つの装置を、抽出した前記付加情報に基づきネットワークを介して制御するテレビ受像機であって、
前記付加情報に対応する予め定めた取り決めに基づいて、視聴者が現在視聴中の前記テレビ放送番組における場面もしくは画面に対応した演出効果を発揮するように、前記ネットワークを介して前記装置の動作を制御することを特徴とするテレビ受像機。
【請求項２】
インターネットへの接続機能をさらに有し、前記インターネットを介し、前記インターネットに接続されたサーバから前記付加情報を取得するようにしたことを特徴とする請求項１記載のテレビ受像機。
【請求項３】
テレビ放送番組の場面もしくは画面に関する付加情報を含む前記テレビ放送番組を受信して前記テレビ放送番組を再生し前記付加情報を抽出するとともに、浴室内に設置された少なくとも１つの装置を、抽出した前記付加情報に基づきネットワークを介して制御するテレビ受像機であって、
前記付加情報を含む前記テレビ放送番組を受信する受信手段と、
前記受信手段で受信した前記テレビ放送番組をデコードして映像・音声情報を出力するとともに、前記付加情報を抽出するデータ処理手段と、
前記データ処理手段で抽出された前記付加情報を解析し、前記付加情報に対応する予め定めた取り決めに基づいて、視聴者が現在視聴中の前記テレビ放送番組における場面もしくは画面に対応したコマンドを生成し、生成した前記コマンドを、前記ネットワークを介して前記装置に送信するシーン解析手段と、
を備えたことを特徴とするテレビ受像機。
【請求項４】
インターネット接続手段をさらに備え、前記インターネット接続手段は、前記インターネットを介して前記インターネットに接続されたサーバから前記付加情報を取得し、取得した前記付加情報を、前記データ処理手段からの出力に替えて、前記シーン解析手段に出力するようにしたことを特徴とする請求項３記載のテレビ受像機。
【請求項５】
前記装置は、ミスト発生装置、および／または水流発生装置、および／またはシャワー装置であることを特徴とする請求項１乃至４のいずれかに記載のテレビ受像機。
【請求項６】
番組の場面もしくは画面に関する付加情報を含む前記番組が記録された記録媒体を再生して前記番組の映像・音声情報を出力し前記付加情報を抽出するとともに、浴室内に設置された少なくとも１つの装置を、抽出した前記付加情報に基づきネットワークを介して制御する再生装置であって、
前記付加情報に対応する予め定めた取り決めに基づいて、視聴者が現在視聴中の番組における場面もしくは画面に対応した演出効果を発揮するように、前記ネットワークを介して前記装置の動作を制御することを特徴とする再生装置。
【請求項７】
インターネットへの接続機能をさらに有し、前記インターネットを介し、前記インターネットに接続されたサーバから前記付加情報を取得するようにしたことを特徴とする請求項６記載の再生装置。
【請求項８】
番組の場面もしくは画面に関する付加情報を含む前記番組が記録された記録媒体を再生して前記番組の映像・音声情報を出力し前記付加情報を抽出するとともに、浴室内に設置された少なくとも１つの装置を、抽出した前記付加情報に基づきネットワークを介して制御する再生装置であって、
前記記録媒体から前記付加情報を含む前記番組を再生する再生手段と、
前記再生手段で再生した前記付加情報を含む前記番組をデコードして映像・音声情報を出力するとともに、前記付加情報を抽出するデータ処理手段と、
前記データ処理手段で抽出された前記付加情報を解析し、前記付加情報に対応する予め定めた取り決めに基づいて、視聴者が現在視聴中の前記番組における場面もしくは画面に対応したコマンドを生成し、生成した前記コマンドを、前記ネットワークを介して前記装置に送信するシーン解析手段と、
を備えたことを特徴とする再生装置。
【請求項９】
インターネット接続手段をさらに備え、前記インターネット接続手段は、前記インターネットを介して前記インターネットに接続されたサーバから前記付加情報を取得し、取得した前記付加情報を、前記データ処理手段からの出力に替えて、前記シーン解析手段に出力するようにしたことを特徴とする請求項８記載の再生装置。
【請求項１０】
前記装置は、ミスト発生装置、および／または水流発生装置、および／またはシャワー装置であることを特徴とする請求項６乃至９のいずれかに記載の再生装置。
【請求項１１】
前記記録媒体は、リムーバブルメディアまたはハードディスクであることを特徴とする請求項６乃至９のいずれかに記載の再生装置。
【発明の詳細な説明】
【技術分野】
【０００１】
本発明は、現在視聴している番組のシーン（場面または画面）に応じて、ミスト（霧）や浴槽の水流を発生させるなど、浴室内設備を適切に制御することで、より臨場感のある映像音声視聴を提供するテレビ受像機（以下、テレビと称す）および再生装置に関するものである。
【背景技術】
【０００２】
近年、健康を目的とした半身浴など比較的長時間の入浴が広まり、それに伴い、浴室内におけるテレビ放送番組やＤＶＤ（Ｄｉｇｉｔａｌ  Ｖｅｒｓａｔｉｌｅ  Ｄｉｓｃ）再生などの視聴を楽しむ人が増加している。住宅設備としては、浴室内に一般家庭用のテレビを設置するだけでなく、浴室での視聴を想定した比較的小型のテレビも様々なメーカーから発売されつつある。
【０００３】
一方、ネットワークやＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの普及に伴い、複数のＡＶ（Ａｕｄｉｏ  ａｎｄ  Ｖｉｓｕａｌ）機器が互いに連携した動作を行うことで様々な付加機能を提供する、いわゆるリンク機能が普及してきている。このリンク機能の中には、例えば、ＡＶアンプの音質を、現在視聴しているテレビ番組のジャンルに応じて、そのジャンルに適した音質に自動的に切り替えるといった機能がある。
【０００４】
デジタル放送やインターネット配信などにおいては、ジャンル情報だけでなく、様々なメタデータを同時に配信したり、あるいは、メタデータを保管している外部サーバにアクセスすることで、間接的にメタデータの配信をすることができるようになっている。
【０００５】
例えば、特許文献１には、サーバに、現在放送中の番組の映像場面やアイテムに関する情報を保存しておき、視聴者が、該サーバにアクセスすることで、該映像場面や該アイテムに関する情報を参照することができる方法が開示されている。これにより、視聴者は、例えば、アイテムの名前や値段、購入先などの情報を取得することができる。
【特許文献１】特開２００７−３１７２１７号公報
【発明の開示】
【発明が解決しようとする課題】
【０００６】
しかしながら、特許文献１に開示されている従来の方法では、ユーザが浴室内でテレビやＤＶＤ（Ｄｉｇｉｔａｌ  Ｖｅｒｓａｔｉｌｅ  Ｄｉｓｃ）を視聴する際に、浴室内という特殊な環境を利用した、より臨場感のある視聴を提供することができないという課題があった。
【０００７】
本発明は、係る課題に鑑みてなされたものであり、 ユーザが浴室内でテレビやＤＶＤを視聴する際に、浴室内という特殊な環境を利用して、より臨場感のある視聴を楽しむことができるテレビおよび再生装置を提供することを目的とする。
【課題を解決するための手段】
【０００８】
上記目的を達成するために、本願の第１の発明のテレビ受像機は、テレビ放送番組の場面もしくは画面に関する付加情報を含む前記テレビ放送番組を受信して前記テレビ放送番組を再生し前記付加情報を抽出するとともに、浴室内に設置された少なくとも１つの装置を、抽出した前記付加情報に基づきネットワークを介して制御するテレビ受像機であって、前記付加情報に対応する予め定めた取り決めに基づいて、視聴者が現在視聴中の前記テレビ放送番組における場面もしくは画面に対応した演出効果を発揮するように、前記ネットワークを介して前記装置の動作を制御することを特徴とするものである。
【０００９】
また、本願の第２の発明のテレビ受像機は、本願の第１の発明のテレビ受像機において、インターネットへの接続機能をさらに有し、前記インターネットを介し、前記インターネットに接続されたサーバから前記付加情報を取得するようにしたことを特徴とするものである。
【００１０】
また、本願の第３の発明のテレビ受像機は、テレビ放送番組の場面もしくは画面に関する付加情報を含む前記テレビ放送番組を受信して前記テレビ放送番組を再生し前記付加情報を抽出するとともに、浴室内に設置された少なくとも１つの装置を、抽出した前記付加情報に基づきネットワークを介して制御するテレビ受像機であって、前記付加情報を含む前記テレビ放送番組を受信する受信手段と、前記受信手段で受信した前記テレビ放送番組をデコードして映像・音声情報を出力するとともに、前記付加情報を抽出するデータ処理手段と、前記データ処理手段で抽出された前記付加情報を解析し、前記付加情報に対応する予め定めた取り決めに基づいて、視聴者が現在視聴中の前記テレビ放送番組における場面もしくは画面に対応したコマンドを生成し、生成した前記コマンドを、前記ネットワークを介して前記装置に送信するシーン解析手段と、を備えたことを特徴とするものである。
【００１１】
また、本願の第４の発明のテレビ受像機は、本願の第３の発明のテレビ受像機において、インターネット接続手段をさらに備え、前記インターネット接続手段は、前記インターネットを介して前記インターネットに接続されたサーバから前記付加情報を取得し、取得した前記付加情報を、前記データ処理手段からの出力に替えて、前記シーン解析手段に出力するようにしたことを特徴とするものである。
【００１２】
また、本願の第５の発明のテレビ受像機は、本願の第１乃至第４のいずれかの発明のテレビ受像機において、前記装置は、ミスト発生装置、および／または水流発生装置、および／またはシャワー装置であることを特徴とするものである。
【００１３】
また、本願の第６の発明の再生装置は、番組の場面もしくは画面に関する付加情報を含む前記番組が記録された記録媒体を再生して前記番組の映像・音声情報を出力し前記付加情報を抽出するとともに、浴室内に設置された少なくとも１つの装置を、抽出した前記付加情報に基づきネットワークを介して制御する再生装置であって、前記付加情報に対応する予め定めた取り決めに基づいて、視聴者が現在視聴中の番組における場面もしくは画面に対応した演出効果を発揮するように、前記ネットワークを介して前記装置の動作を制御することを特徴とするものである。
【００１４】
また、本願の第７の発明の再生装置は、本願の第６の発明の再生装置において、インターネットへの接続機能をさらに有し、前記インターネットを介し、前記インターネットに接続されたサーバから前記付加情報を取得するようにしたことを特徴とするものである。
【００１５】
また、本願の第８の発明の再生装置は、番組の場面もしくは画面に関する付加情報を含む前記番組が記録された記録媒体を再生して前記番組の映像・音声情報を出力し前記付加情報を抽出するとともに、浴室内に設置された少なくとも１つの装置を、抽出した前記付加情報に基づきネットワークを介して制御する再生装置であって、前記記録媒体から前記付加情報を含む前記番組を再生する再生手段と、前記再生手段で再生した前記付加情報を含む前記番組をデコードして映像・音声情報を出力するとともに、前記付加情報を抽出するデータ処理手段と、前記データ処理手段で抽出された前記付加情報を解析し、前記付加情報に対応する予め定めた取り決めに基づいて、視聴者が現在視聴中の前記番組における場面もしくは画面に対応したコマンドを生成し、生成した前記コマンドを、前記ネットワークを介して前記装置に送信するシーン解析手段と、を備えたことを特徴とするものである。
【００１６】
また、本願の第９の発明の再生装置は、本願の第８の発明の再生装置において、インターネット接続手段をさらに備え、前記インターネット接続手段は、前記インターネットを介して前記インターネットに接続されたサーバから前記付加情報を取得し、取得した前記付加情報を、前記データ処理手段からの出力に替えて、前記シーン解析手段に出力するようにしたことを特徴とするものである。
【００１７】
また、本願の第１０の発明の再生装置は、本願の第６乃至第９のいずれかの発明の再生装置において、前記装置は、ミスト発生装置、および／または水流発生装置、および／またはシャワー装置であることを特徴とするものである。
【００１８】
また、本願の第１１の発明の再生装置は、本願の第６乃至第９のいずれかの発明の再生装置において、前記記録媒体は、リムーバブルメディアまたはハードディスクであることを特徴とするものである。
【発明の効果】
【００１９】
本発明により、浴室内で、テレビ、もしくはＤＶＤで視聴している際に、視聴している場面が雨のシーンであればミストやシャワーが噴出し、時化のシーンであれば浴室内の水流が発生することで、浴室内独特の、より臨場感のある視聴を楽しむことが可能となる。
【発明を実施するための最良の形態】
【００２０】
以下に、本発明を実施するための最良の形態について、図面を参照しながら詳細に説明する。
【００２１】
（実施の形態１）
図１は、本発明の実施の形態１に係るテレビを用いた浴室の構成を示す概略図である。
【００２２】
図１において、浴室１には、テレビ３、ミスト発生装置４および浴槽２内に備えられた水流発生装置５が配置され、これらの機器や装置は互いにＬＡＮ（Ｌｏｃａｌ  Ａｒｅａ  Ｎｅｔｗｏｒｋ）６により接続されており、例えば、テレビ３は、ＬＡＮ６を介して、様々な種類のコマンドをミスト発生装置４や水流発生装置５に送信することで、ミスト発生装置４や水流発生装置５の遠隔操作を行うことができるように構成されている。
【００２３】
次に、図２を用いて、テレビ３、ミスト発生装置４および水流発生装置５の構成について説明する。なお、図２は、本発明の実施の形態１における各装置（テレビ、ミスト発生装置および水流発生装置）の構成を示すブロック図である。
【００２４】
まず、テレビ３は、特許請求の範囲に記載の受信手段に相当するチューナ３１、データ処理手段３２、画面表示手段３３、スピーカ３４、シーン解析手段３５およびＬＡＮ  Ｉ／Ｆ（Ｉｎｔｅｒｆａｃｅ）３６で構成されている。なお、受信手段は、チューナ３１およびアンテナ２１で構成されていてもかまわない。
【００２５】
チューナ３１は、アンテナ２１で受信した放送信号から、視聴者が指定した番組／チャンネルのデータを抽出してデータ処理手段３２に出力する。
【００２６】
データ処理手段３２は、チューナ３１から受け取ったデータをデコード処理し、得られた映像信号および音声信号を、それぞれ画面表示手段３３およびスピーカ３４に出力するとともに、アンテナ２１で受信した放送信号中に付加情報が含まれている場合は、付加情報を抽出して、それをシーン解析手段３５に出力する。
【００２７】
シーン解析手段３５は、データ処理手段３２から受け取った付加情報を解析し、付加情報に視聴中番組の現在の場面に関する情報が含まれている場合には、ＬＡＮ  Ｉ／Ｆ３６およびＬＡＮ６を介して、視聴中番組の現在の場面（画面）に関する情報に応じたコマンドを、ミスト発生装置４および／または水流発生装置５に送信する。視聴中番組の現在の場面と、送信するコマンドの内容、および送信先については、後述する。
【００２８】
また、ミスト発生装置４は、ミスト発生手段４１、制御手段４２およびＬＡＮ  Ｉ／Ｆ４３で構成されており、制御手段４２は、ＬＡＮ６およびＬＡＮ  Ｉ／Ｆ４３を介して、外部機器（ここでは、テレビ３）からコマンドを受信すると、コマンドの内容に応じて、ミスト発生手段４１にミスト制御信号を送信する。例えば、コマンドが「ミスト発生開始コマンド」であれば、ミスト発生手段４１に対してミスト発生開始を指示し、コマンドが「ミスト発生停止コマンド」であれば、ミスト発生手段４１に対してミスト発生停止を指示する。
【００２９】
また、水流発生装置５は、水流発生手段５１、制御手段５２およびＬＡＮ  Ｉ／Ｆ５３で構成されており、制御手段５２は、ＬＡＮ６およびＬＡＮ  Ｉ／Ｆ５３を介して、外部機器（ここでは、テレビ３）から視聴中番組の現在の場面に関する情報に応じたコマンドを受信すると、コマンドの内容に応じて、水流発生手段５１に水流制御信号を送信する。例えば、コマンドが「水流開始コマンド」であれば、水流発生手段５１に対して水流発生開始を指示し、コマンドが「水流発生停止コマンド」であれば、水流発生手段５１に対して水流発生停止を指示する。
【００３０】
次に、図３を用いて、視聴中番組の現在の場面に応じた、テレビ３、ミスト発生装置４および水流発生装置５の連携動作について説明する。なお、図３は、本発明の実施の形態１における視聴中番組の現在の場面に応じた、テレビ、ミスト発生装置および水流発生装置の連携動作を示す図である。
【００３１】
まず、視聴中番組の現在の場面が「雨の場面」になった場合（図３における時間がＡになった場合）、テレビ３は、シーン解析手段３５が、データ処理手段３２において抽出した付加情報を解析し、現在視聴中の番組の場面に関する情報として「雨の場面」になったことを検出すると、コマンドとして「ミスト発生開始コマンド」をＬＡＮ  Ｉ／Ｆ３６およびＬＡＮ６を介してミスト発生装置４に送信する。ミスト発生装置４は、テレビ３から「ミスト発生開始コマンド」を受信するとミスト発生を開始する。  
【００３２】
続いて、視聴中番組の現在の場面が「雨の場面」でなくなり他の場面になった場合（図３における時間がＢになった場合）、テレビ３は、シーン解析手段３５が、データ処理手段３２において抽出した付加情報を解析し、現在視聴中の番組の場面に関する情報として「雨の場面」でなくなったことを検出すると、コマンドとして「ミスト発生停止コマンド」をＬＡＮ  Ｉ／Ｆ３６およびＬＡＮ６を介してミスト発生装置４に送信する。ミスト発生装置４は、テレビ３から「ミスト発生停止コマンド」を受信するとミスト発生を停止する。
【００３３】
このようにして、視聴中番組の現在の場面が「雨の場面」である間、ミスト発生装置４からミスト（霧）が発生し、視聴者は臨場感あふれる雨の気分を味わうことができる。  
【００３４】
次に、視聴中番組の現在の場面が「しけ（時化）の場面」になった場合（図３における時間がＣになった場合）、テレビ３は、シーン解析手段３５が、データ処理手段３２において抽出した付加情報を解析し、現在視聴中の番組の場面に関する情報として「時化の場面」になったことを検出すると、コマンドとして「水流発生開始コマンド」をＬＡＮ  Ｉ／Ｆ３６およびＬＡＮ６を介して水流発生装置５に送信する。水流発生装置５は、テレビ３から「水流発生開始コマンド」を受信すると水流発生を開始する。  
【００３５】
続いて、視聴中番組の現在の場面が「時化の場面」でなくなった場合（図３における時間がＤになった場合）、テレビ３は、シーン解析手段３５が、データ処理手段３２において抽出した付加情報を解析し、現在視聴中の番組の場面に関する情報として「時化の場面」でなくなったことを検出すると、コマンドとして「水流発生停止コマンド」をＬＡＮ  Ｉ／Ｆ３６およびＬＡＮ６を介して水流発生装置５に送信する。水流発生装置５は、テレビ３から「水流発生停止コマンド」を受信すると水流発生を停止する。  
【００３６】
このようにして、視聴中番組の現在の場面が「時化の場面」である間、水流発生装置５から浴槽２内に水流が発生し、視聴者は浴槽２内にいることで、臨場感を持って時化の気分を味わうことができる。
【００３７】
以上のように、テレビ３で視聴している番組中の現在の場面に応じて、浴室１内にミストを発生させたり、浴槽２内に水流を発生させることにより、視聴者はより臨場感のある視聴を楽しむことができる。
【００３８】
なお、本発明の実施の形態１において、テレビ３は、ミスト発生装置４および水流発生装置５とＬＡＮ６を介して接続されているとしたが、ミスト発生装置４のみ、もしくは水流発生装置５のみと接続されていてもよい。その場合は、それぞれ、「雨の場面」または「時化」の場面のいずれか対応する場面でのみ、演出効果を得ることができる、すなわち、臨場感を創出することができる。また、テレビ３は、ミスト発生装置４および水流発生装置５に加えて、他の装置とＬＡＮ６を介して接続されていてもかまわない。
【００３９】
また、本発明の実施の形態１において、テレビ３が、ミスト発生装置４に対して「ミスト発生開始コマンド」を送信するのは、視聴中番組の現在の場面が「雨の場面」としたが、これに限るものではなく、例えば、「水しぶきの場面」や「海中の場面」など、ミストによって演出効果が得られる場面で送信するようにしてもよい。さらに、「ミスト発生開始コマンド」を送信する視聴中番組の現在の場面は、一種類でも、複数種類であってもよい。
【００４０】
また、本発明の実施の形態１において、テレビ３が、水流発生装置５に「水流発生開始コマンド」を送信するのは、視聴中番組の現在の場面が「時化の場面」としたが、これに限るものではなく、例えば、「荒れ地を車で走行する場面」や「地震の場面」など、浴槽２内の水流によって演出効果が得られる場面で送信するようにしてもよい。さらに、「水流発生開始コマンド」を送信する視聴中番組の現在の場面は、一種類でも、複数種類であってもよい。
【００４１】
また、本発明の実施の形態１において、テレビ３が、ミスト発生装置４の代わりに、例えば、ＬＡＮ６を介してシャワー制御装置（図示せず）に接続されており、シャワー制御装置（図示せず）に対して、視聴中番組の現在の場面が「雨の場面」になった場合には「シャワー開始コマンド」を、視聴中番組の現在の場面が「雨の場面」でなくなった場合、すなわち、「雨の場面」から他の場面になった場合には、「シャワー停止コマンド」を、それぞれ送信するようにしても、同様の演出効果を得ることができる。
【００４２】
また、本発明の実施の形態１において、テレビ３、ミスト発生装置４および水流発生装置５は、互いにＬＡＮ６により接続されているとしたが、これに限るものではなく、例えば、ＵＳＢ（Ｕｎｉｖｅｒｓａｌ  Ｓｅｒｉａｌ  Ｂｕｓ）など他のインタフェース（ネットワーク）で接続されていてもよいし、また、赤外線などによる無線通信（無線ネットワーク）を用いて、テレビ３からミスト発生装置４および水流発生装置５にコマンドを送信するようにしてもよい。  
【００４３】
また、本発明の実施の形態１において、付加情報は、テレビ３のデータ処理手段３２が、アンテナ２１が受信した放送信号から抽出するとしたが、これに限るものではなく、例えば、テレビ３が、インターネットを介して番組に関する情報を保有した外部サーバに接続し、該外部サーバから付加情報を取得し、その付加情報を解析することで、同様の効果を得ることができる。
【００４４】
また、本発明の実施の形態１において、テレビ３は、音声信号をスピーカ３４に出力するとしたが、これに限るものではなく、例えば、外部音響機器や外部スピーカに出力するようにしてもよい。  
【００４５】
また、本発明の実施の形態１において、テレビ３が制御する装置はミスト発生装置４および水流発生装置５としたが、これに限るものではなく、例えば、シャワー装置など、演出効果を発揮させることが可能な装置であればよい。
【００４６】
（実施の形態２）
図４は、本発明の実施の形態２に係る再生装置を用いた浴室の構成を示す概略図である。
【００４７】
図４において、浴室１には、テレビ７、ＤＶＤプレーヤ８、ミスト発生装置４および浴槽２内に備えられた水流発生装置５が配置され、これらの機器や装置は互いにＬＡＮ６により接続されており、例えば、ＤＶＤプレーヤ８からＬＡＮ６を介して、様々な種類のコマンドを、ミスト発生装置４や水流発生装置５に送信することで、ミスト発生装置４や水流発生装置５の遠隔操作を行うことができるように構成されている。なお、本発明の実施の形態１における図１と同じ構成要素については同じ符号を付し、ここでは説明を省略する。
【００４８】
次に、図５を用いて、ＤＶＤプレーヤ８の構成について説明する。なお、図５は、本発明の実施の形態２における各装置（テレビ、ＤＶＤプレーヤ、ミスト発生装置および水流発生装置）の構成を示すブロック図である。
【００４９】
ＤＶＤプレーヤ８は、再生手段８１、データ処理手段８２、出力Ｉ／Ｆ８３、シーン解析手段８４およびＬＡＮ  Ｉ／Ｆ８５で構成され、着脱可能なＤＶＤメディア８６に記録された番組を再生する。なお、ＤＶＤメディア８６には、映像音声データおよび再生中の場面に関する情報を含む付加情報が記録されているものとする。
【００５０】
再生手段８１は、ＤＶＤメディア８６から読み出した再生信号（再生データ）をデータ処理手段８２に出力する。
【００５１】
データ処理手段８２は、再生手段８１から受け取った再生データをデコード処理し、その結果生成した映像音声信号を、出力Ｉ／Ｆ８３を介してテレビ７に出力する。出力Ｉ／Ｆ８３としては、例えば、ＨＤＭＩやＲＣＡ（Ｒａｄｉｏ  Ｃｏｒｐｏｒａｔｉｏｎ  ｏｆ  Ａｍｅｒｉｃａ）を用いるが、それ以外のインタフェース（ネットワーク）であっても構わない。
【００５２】
また、データ処理手段８２は、再生データ中に付加情報が含まれていた場合は、その付加情報を抽出してシーン解析手段８４に出力する。
【００５３】
シーン解析手段８４は、データ処理手段８２から受け取った付加情報を解析し、付加情報に視聴中番組の現在の場面に関する情報が含まれている場合には、ＬＡＮ  Ｉ／Ｆ８５を介して、視聴中番組の現在の場面に応じたコマンドを、ミスト発生装置４もしくは水流発生装置５に送信する。
【００５４】
視聴中番組の現在の場面と、送信するコマンドの内容および送信先については、後述する。
【００５５】
次に、図６を用いて、視聴中番組の現在の場面に応じた、ＤＶＤプレーヤ８、ミスト発生装置４および水流発生装置５の連携動作について説明する。なお、図６は、本発明の実施の形態２における視聴中番組の現在の場面に応じた、ＤＶＤプレーヤ、ミスト発生装置および水流発生装置の連携動作を示す図である。
【００５６】
まず、視聴中番組の現在の場面が「雨の場面」になった場合について説明する。
【００５７】
ＤＶＤプレーヤ８のシーン解析手段８４は、データ処理手段８２から受け取った付加情報を解析し、時間Ｅの時点において、視聴中番組の現在の場面に関する情報として「雨の場面」になったことを検出すると、ミスト発生装置４に対し、コマンドとして「ミスト発生開始コマンド」をＬＡＮ  Ｉ／Ｆ８５およびＬＡＮ６を介して送信する。ミスト発生装置４は、ＤＶＤプレーヤ８から「ミスト発生開始コマンド」を受信すると、ミスト発生を開始する。
【００５８】
ＤＶＤプレーヤ８のシーン解析手段８４は、データ処理手段８２から受け取った付加情報を解析し、時間Ｆの時点において、再生中番組の現在の場面に関する情報として、「雨の場面」でなくなったことを検出すると、ミスト発生装置４に対し、コマンドとして「ミスト発生停止コマンド」をＬＡＮ  Ｉ／Ｆ８５およびＬＡＮ６を介して送信する。ミスト発生装置４は、ＤＶＤプレーヤ８から「ミスト発生停止コマンド」を受信すると、ミスト発生を停止する。  
【００５９】
このようにして、視聴中番組の現在の場面が「雨の場面」である間、ミスト発生装置４からミストが発生されるので、視聴者は臨場感のある雨の気分を味わうことができる。
【００６０】
次に、視聴中番組の現在の場面が「時化の場面」になった場合について説明する。
【００６１】
ＤＶＤプレーヤ８のシーン解析手段８４は、データ処理手段８２から受け取った付加情報を解析し、時間Ｇの時点において、視聴中番組の現在の場面に関する情報として、「時化の場面」になったことを検出すると、水流発生装置５に対し、コマンドとして「水流発生開始コマンド」をＬＡＮ  Ｉ／Ｆ８５およびＬＡＮ６を介して送信する。水流発生装置５は、ＤＶＤプレーヤ８から「水流発生開始コマンド」を受信すると、水流発生を開始する。  
【００６２】
ＤＶＤプレーヤ８のシーン解析手段８４は、データ処理手段８２から受け取った付加情報を解析し、時間Ｈの時点において、視聴中番組の現在の場面に関する情報として「時化の場面」でなくなったことを検出すると、水流発生装置５に対し、コマンドとして「水流発生停止コマンド」をＬＡＮ  Ｉ／Ｆ８５およびＬＡＮ６を介して送信する。水流発生装置５は、ＤＶＤプレーヤ８から「水流発生停止コマンド」を受信すると、水流発生を停止する。  
【００６３】
このようにして、視聴中番組の現在の場面が「時化の場面」である間、水流発生装置５から浴槽内に水流が発生するので、視聴者は、浴槽内にいることで、臨場感のある時化の気分を味わうことができる。
【００６４】
以上のように、ＤＶＤプレーヤ８で再生した番組をテレビ７で視聴する際に、視聴中番組の現在の場面に応じて、浴室１内にミストを発生させたり、浴槽２内に水流を発生させることにより、視聴者はより臨場感のある視聴を楽しむことができる。
【００６５】
なお、本発明の実施の形態２において、ＤＶＤプレーヤ８は、ミスト発生装置４および水流発生装置５とＬＡＮ６を介して接続されているとしたが、ミスト発生装置４のみ、もしくは水流発生装置５のみと接続されていてもよい。その場合は、それぞれ、「雨の場面」、「時化の場面」のいずれか対応する場面でのみ、演出効果を得ることができる。すなわち、臨場感を創出することができる。また、テレビ３は、ミスト発生装置４および水流発生装置５に加えて、他の装置とＬＡＮ６を介して接続されていてもかまわない。
【００６６】
また、本発明の実施の形態２において、ＤＶＤプレーヤ８が、ミスト発生装置４に対して「ミスト発生開始コマンド」を送信するのは、視聴中番組の現在の場面が「雨の場面」としたが、これに限るものではなく、例えば、「水しぶきの場面」や「海中の場面」など、ミストによって演出効果が得られる場面で送信するようにしてもよい。さらに、「ミスト発生開始コマンド」を送信する視聴中番組の現在の場面は、一種類でも、複数種類であってもよい。
【００６７】
また、本発明の実施の形態２において、ＤＶＤプレーヤ８が、水流発生装置５に「水流発生開始コマンド」を送信するのは、視聴中番組の現在の場面が「時化の場面」としたが、「荒れ地を車で走行する場面」や「地震の場面」など、浴槽２内の水流によって演出効果が得られる場面で送信するようにしてもよい。さらに、「水流発生開始コマンド」を送信する視聴中番組の現在の場面は、一種類でも、複数種類であってもよい。
【００６８】
また、本発明の実施の形態２において、ＤＶＤプレーヤ８が、ミスト発生装置４の代わりに、例えば、ＬＡＮ６を介してシャワー制御装置（図示せず）に接続されており、シャワー制御装置に対して、視聴中番組の現在の場面が「雨の場面」になった場合には、「シャワー開始コマンド」を、視聴中番組の現在の場面が「雨の場面」でなくなった場合、すなわち、「雨の場面」から他の場面になった場合には、「シャワー停止コマンド」を、それぞれ送信するようにしても、同様の演出効果を得ることができる。
【００６９】
また、本発明の実施の形態２において、ＤＶＤプレーヤ８、ミスト発生装置４および水流発生装置５は、互いにＬＡＮ６により接続されているとしたが、これに限るものではなく、例えば、ＵＳＢなど他のインタフェース（ネットワーク）で接続されていてもよいし、また、赤外線などによる無線通信（無線ネットワーク）を用いて、ＤＶＤプレーヤ８からミスト発生装置４および水流発生装置５にコマンドを送信するようにしてもよい。
【００７０】
また、本発明の実施の形態２において、付加情報は、ＤＶＤプレーヤのデータ処理手段８２が再生手段８１から受け取った再生データから抽出するとしたが、これに限るものではなく、ＤＶＤプレーヤ８が、別の手段を用いて付加情報を取得するようにしてもよい。例えば、ＤＶＤプレーヤ８が、インターネットを介して番組に関する情報を保有した外部サーバに接続し、該外部サーバから付加情報を取得し、その付加情報を解析することで、同様の効果を得ることができる。
【００７１】
また、本発明の実施の形態２において、再生装置としてＤＶＤプレーヤを例に挙げたが、これに限るものではなく、例えば、ＢＤ（Ｂｌｕ−ｒａｙ  Ｄｉｓｃ）やＳＤカードなどのリムーバブルメディア、あるいは、ハードディスクなどの記録媒体を再生できる再生装置であってもかまわない。また、再生機能だけでなく記録機能を保有していてもかまわない。
【００７２】
また、本発明の実施の形態２において、ＤＶＤプレーヤ８が制御する装置はミスト発生装置４および水流発生装置５としたが、これに限るものではなく、例えば、シャワー装置など、演出効果を発揮させることが可能な装置であればよい。
【００７３】
また、本発明の実施の形態２において、ＤＶＤプレーヤ８のみがミスト発生装置４および水流発生装置５の動作を制御したが、テレビ７がテレビ３と同様の構成を備え、テレビ７またはＤＶＤプレーヤ８のいずれかが、ＬＡＮ６を介してミスト発生装置４および水流発生装置５などの動作を制御するように構成してもかまわない。
【産業上の利用可能性】
【００７４】
本発明は、浴室内において、ネットワークで接続されたＡＶ機器（テレビ、ＤＶＤプレーヤなど）から浴室内設備の制御を行うことで、臨場感の向上など、視聴時の演出効果を生み出すシステム等に適用できる。
【図面の簡単な説明】
【００７５】
【図１】本発明の実施の形態１に係るテレビを用いた浴室の構成を示す概略図
【図２】本発明の実施の形態１における各装置の構成を示すブロック図
【図３】本発明の実施の形態１における視聴中番組の現在の場面に応じた、テレビ、ミスト発生装置および水流発生装置の連携動作を示す図
【図４】本発明の実施の形態２に係る再生装置を用いた浴室の構成を示す概略図
【図５】本発明の実施の形態２における各装置の構成を示すブロック図
【図６】本発明の実施の形態２における視聴中番組の現在の場面に応じた、ＤＶＤプレーヤ、ミスト発生装置および水流発生装置の連携動作を示す図
【符号の説明】
【００７６】
１  浴室
２  浴槽
３  テレビ受像機
４  ミスト発生装置
５  水流発生装置
６  ＬＡＮ
７  テレビ受像機
８  ＤＶＤプレーヤ
３１  チューナ
３２  データ処理手段
３３  画面表示手段
３４  スピーカ
３５  シーン解析手段
３６  ＬＡＮ  Ｉ／Ｆ
４１  ミスト発生手段
４２  制御手段
４３  ＬＡＮ  Ｉ／Ｆ
５１  水流発生手段
５２  制御手段
５３  ＬＡＮ  Ｉ／Ｆ
８１  再生手段
８２  データ処理手段
８３  出力Ｉ／Ｆ
８４  シーン解析手段
８５  ＬＡＮ  Ｉ／Ｆ
８６  ＤＶＤメディア
【図１】
2010219712.tif 000003
【図２】
2010219712.tif 000004
【図３】
2010219712.tif 000005
【図４】
2010219712.tif 000006
【図５】
2010219712.tif 000007
【図６】
2010219712.tif 000008